(57)【要約】【課題】  本考案は、ボトルおよび壜の頂部開口の大小径のすべてに挿着し閉栓することができ、閉栓したまま注ぎ筒口から適量の内容液を注ぎ出すことができるシリコン等の柔軟性のあるボトルヘッドを新規に提供することを課題とする。【解決手段】  本考案は、ボトルヘッドの側周を上広，下狭の傾斜面にて形成して、頂部開口の径の大小に対応して挿着閉栓し、上面上の注ぎ筒口より適量の内容液を注ぎ出すことができるようにして課題を解決する。【選択図】図１
0003205174.tif 000002
【実用新案登録請求の範囲】
【請求項１】
飲茶，酒，調味料などを入れるボトルおよび壜の頂部開口に挿着し閉栓するボトルヘッドであって、シリコン等柔軟性のある素材にて形成し、このボトルヘッドの側周に上広，下狭のゆるやかな傾斜面を付し、且つボトルヘッドの上面上にキャップ付きの注ぎ筒口を設けたことを特徴とするボトルヘッド。
【請求項２】
キャップをマスコット付きにて形成する請求項１に記載のボトルヘッド。
【請求項３】
ボトルヘッドの側周の傾斜面角度を上太に拡げて頂部開口の大小径に対する閉栓対応範囲を拡大する請求項１に記載のボトルヘッド。
【請求項４】
ボトルヘッドの側周の外面に１乃至数条の突条環を横設して密着性を向上させる請求項１に記載のボトルヘッド。
【請求項５】
ボトルヘッドの側周の横方向に張り出し幅の大きい先細の圧接用環を１乃至数条周設して、各圧接用環の屈曲圧接により閉栓する請求項１に記載のボトルヘッド。
【請求項６】
飲み干すなどして空になったボトルおよび壜を一輪挿しなどの花器として活用する請求項１乃至５のいずれかに記載のボトルヘッド。
【考案の詳細な説明】
【技術分野】
【０００１】
この考案はボトルおよび壜の頂部開口に挿着し閉栓するボトルヘッド、詳しくはボトルおよび壜の頂部開口の径の大小に広く対応して閉栓して、閉栓したままボトルヘッドに設けた縦貫孔につながるキャップ付きの注ぎ口より内容液を注ぎ出しすることができるボトルヘッドに関するものある。
【背景技術】
【０００２】
ボトルヘッドとしては実用新案登録第３１２７３７８号公報がある。この公報はボトルヘッドの握りを大きくして持ちやすくして、開栓，閉栓を容易にするとともに、衛生的にしたということを記載している。
【特許文献１】実用新案登録第３１２７３７８号公報
【考案の開示】
【考案が解決しようとする課題】
【０００３】
しかしながら、上記公報のボトルヘッドはボトルの頂部開口の径の大小に対する対応力に欠けているという課題がある。頂部開口が広いと弛るく、狭いと閉栓しないという課題がある。
【０００４】
ボトルヘッドを抜き外さなければ内容液を注ぎ出すことができないという課題がある。
【課題を解決するための手段】
【０００５】
本考案はボトルヘッドの側周を上広，下狭のフラットでゆるやかな傾斜面にして形成し、また対応範囲を広げるために側周の傾斜面の角度を拡大し、さらには１乃至数条の突条環を周設して、ボトルおよび壜の頂部開口の大小径のすべてに満足裡に挿着し閉栓するようにして、上記した課題を解決する。
【考案の効果】
【０００６】
本考案のボトルヘッドはボトルおよび壜の頂部開口の広狭径に対応して、すべての頂部開口に挿着し閉栓することができるという効果を生ずる。
【０００７】
ボトルヘッドをシリコン等柔軟性のある素材にて形成することで頂部開口の内面に密着して閉栓するという効果を生ずる。
【０００８】
側周の傾斜面角度を上太に拡大し、また側周に１乃至数条の突条環または張り出し幅の大きい圧接用環を突設することで頂部開口の広狭径に対する閉栓の対応範囲が増大するという効果を生ずる。
【０００９】
縦貫孔に連通するキャップ付きの注ぎ筒口より閉栓したまま内容液を注ぎ出すことができるという効果を生ずる。
【００１０】
空になったボトルおよび壜を一輪挿しなどの花器として活用することができるという効果を生ずる。
【図面の簡単な説明】
【００１１】
【図１】ボトルヘッドの第１実施例の斜視図とキャップの形成例を示す斜視図
【図２】同、閉栓可能なボトル及び壜の数例を示す斜視図
【図３】同、注ぎ筒口からの注ぎ出し使用例を示す斜視図
【図４】キャップをマスコットキャップとして１例を示す斜視図
【図５】花器としての使用例を示す斜視図
【図６】側周の傾斜面を上太に拡げた第２実施例を示す斜視図
【図７】側周に突条環を周設した第３実施例を示す斜視図
【図８】側周に張り出し幅の大きい先細の圧接用環を周設した例とその屈曲閉栓状態を示す図
【符号の説明】
【００１２】
１はボトルおよび壜
２は頂部開口
３はボトルヘッド
３ａは上広，下狭の側周の傾斜面
４は縦貫孔
５は注ぎ筒口
６，６ａ，６ｂ，６ｃ，６ｄはキャップ
７はマスコットキャップ
７ａはマスコット
８は花
９は花器
１０は突条環
１０ａは張り出し幅の大きい圧接用環
【考案を実施するための最良の形態】
【００１３】
本考案は、ボトルおよび壜の頂部開口の大小径のすべてに対応して挿着し閉栓するようにシリコン等柔軟性のある素材にて側周を上広下狭のフラットな傾斜面とする平面視円形のボトルヘッドを形成し、さらに対応範囲を拡大するために側周のフラットな傾斜面の傾斜角度を上太に拡げ、また１乃至数条の突条環、さらには貼り出し幅の大きい圧接用環を周設し、このボトルヘッドの上面上に縦貫孔につながるキャップ付きの注ぎ口を設けて、ボトルヘッドを閉栓したまま内容液を注ぎ出すことができるようにする。
【実施例１】
【００１４】
図１乃至図３は本考案の第１実施例であって、シリコン等柔軟性のある素材にてボトルおよび壜１の頂部開口２に挿脱自在に挿着し閉栓するボトルヘッド３を形成する。ボトルヘッド３は平面視円形で、その側周を上広，下狭のゆるやかな傾斜面３ａにて形成して、頂部開口２の大小径に対応して挿着し閉栓するようにする。
【００１５】
このボトルヘッド３の平坦な上面上に縦貫孔４に連通する注ぎ筒口５を設けて閉栓したまま筒口５より内容液を注ぎ出すことができるようにする。６はそのキャップである。キャップ６は図１に示すようにストレートタイプ６ａ、螺着式６ｂとしたもの、挿込み形６ｃ、アーム開閉式６ｄなどにて形成する。
【００１６】
ボトルヘッド３の側周を上広，下狭のフラットな傾斜面にて形成したことによって、ボトルおよび壜１の頂部開口２が種類によりその口径を広狭していてもすべてに対応して挿着し閉栓することができる。
【００１７】
ボトルおよび壜１は飲茶，ワイン，日本酒，焼酎，ウイスキー，ビールなどのほか、醤油などの調味料を充填する３００ｍｌ程の容量の小さなものから１８００ミリリットル、いわゆる一升壜の大きさのものまでを含み、家庭または飲食店などで陳列したりしてキープすることができる。
【００１８】
内容液を注ぐときはキャップ６を注ぎ筒口５から外して注ぎ筒口５より注ぎ出すのである。注ぎ筒口５はボトル，壜１の頂部開口よりも細く形成されているために適量が流れ出て、一度に大量の内容液が飛び出して周囲を汚したりすることが生じないものとなる。
【００１９】
図４は注ぎ筒口５のキャップ６を人形，動物等を模したマスコット７ａを載着したマスコットキャップ７にて形成した例を示すもので、多くのマスコットから好みのマスコット７ａを選んで載着したマスコットキャップ７を用いることで陳列の際に美観を高め、ボトルキープの際の識別力を持たせることができるようになる。
【００２０】
図５に示すように、適当な大きさ，デザイン付きなどのボトルおよび壜１は空になったときにキャップ６，７を外して一輪の花８を挿し立てて一輪挿しなどの花器９にして活用することができる。なお、マスコット７ａの目立たないところに注ぎ筒口５に連なる縦孔を設けて注ぎ筒口５に被せて一輪挿しなどの花器９とすることもできる。
【００２１】
花器９として活用するときはボトルおよび壜１に貼られていたラベルなどを剥がし取って新たに自然美などの豊かな絵紙などを巻き付けて美化することが望まれる。
【実施例２】
【００２２】
図６は本考案の第２実施例であって、ボトルおよび壜の頂部開口の大小径に対するボトルヘッドの挿着閉栓の対応範囲を拡大するために、平面視円形のボトルヘッド３の側周の傾斜面３ａの傾斜角度を上太に広げた例であって、傾斜角度を上太に広げることで、頂部開口２の大小径に対する閉栓の対応範囲を広げることができることになる。すなわち、頂部開口２の径が広く大きいときは傾斜角度の太く大きい側周の上部にて閉栓し、小さく狭いときは側周の下部の細い部分で閉栓することで頂部開口２の大小径に対する閉栓の対応範囲を大きく広げることができるようになる。その他の構成と作用は第１実施例と同じである。
【実施例３】
【００２３】
図７は本考案の第３実施例であって、ボトルヘッド３の側周の傾斜面３ａに１乃至数条（図面は２条と４条の例を示す）の半円形をした突条環１０を横方向に突出し形成して、頂部開口２に挿着したときにこの突条環１０の半潰れなどを含んだ密接により閉栓するようにしたものである。
また突条環１０にかえて図８に示すように張り出し幅の大きい先細の圧接用環１０ａを１乃至数条にて突出し形成して、ボトルヘッド３を頂部開口２に挿着する際に各圧接用環１０ａの屈曲圧接により緊密に閉栓するようにする。圧接用環１０ａの屈曲圧接によりボトルヘッド３の主体は頂部開口２から離れていて、開栓がしやすくなる。その他の構成と作用は第１実施例と同じである。なお、注ぎ筒口５を閉栓するキャップ６ｃも同様にして突条環または圧接用環を周設することもある。
【産業上の利用可能性】
【００２４】
本考案はボトルおよび壜の頂部開口の大小径のすべてに対応して挿着し閉栓することができて、閉栓したまま注ぎ筒口から内容液を適量ずつ注ぎ出すことができることで広く利用されるものである。
【図１】
0003205174.tif 000003
【図２】
0003205174.tif 000004
【図３】
0003205174.tif 000005
【図４】
0003205174.tif 000006
【図５】
0003205174.tif 000007
【図６】
0003205174.tif 000008
【図７】
0003205174.tif 000009
【図８】
0003205174.tif 000010